(57)【要約】【課題】表示対象画像Ｓに奥行き感を付与することのできる車両用表示装置２０を提供することにある。【解決手段】光源２４から、表示対象画像Ｓを表現する光信号ＳＬが出力されると、光信号ＳＬは、拡大率変更部２６を介して凹面鏡３０に到達する。凹面鏡３０によって反射された光信号ＳＬは、フロントガラス１０によって更に反射され、アイポイントＰに入射する。拡大率変更部２６は、凸レンズ２８を備え、凹面鏡３０へと進む光信号の経路に凸レンズ２８を介在させたり、同経路から凸レンズ２８をはずしたりすることができる。制御部２２は、表示対象画像のうち近くに表示する画像部分と遠くに表示する画像部分とを時分割で表示し、遠くに表示する画像の表示期間に限って、光信号ＳＬの経路に凸レンズ２８を介在させる。【選択図】図１
2016024420.tif 000002
【特許請求の範囲】
【請求項１】
表示対象画像を表現する光信号を出力して且つ、車室外からの光を車室内に透過させる透明部材で前記光信号を反射させることで、車室内のユーザに、車室外の所定位置に前記表示対象画像を視認させる光源と、
前記光源と前記透明部材との間における前記光信号の経路上に設けられて且つ、前記表示対象画像の拡大率を互いに相違する２つ以上の値に変更可能な光学機器である拡大率変更部と、
前記拡大率変更部を操作して前記拡大率を周期的に変更する制御部と、
を備える車両用表示装置。
【発明の詳細な説明】
【技術分野】
【０００１】
本発明は、表示対象画像を表現する光信号を出力して且つ、車室外からの光を車室内に透過させる透明部材で前記光信号を反射させることで、車室内のユーザに、車室外の所定位置に前記表示対象画像を視認させる光源を備える車両用表示装置に関する。
【背景技術】
【０００２】
たとえば、特許文献１には、フロントガラス（透明部材）を通して運転者によって視認される信号機や停止線に、それら信号機や停止線に注意を喚起するための所定の模様（表示対象画像）を強調表示として重畳する車両用表示装置が提案されている。
【先行技術文献】
【特許文献】
【０００３】
【特許文献１】特開２００８−９４３７７号公報
【発明の概要】
【発明が解決しようとする課題】
【０００４】
ところで、上記強調表示は、フロントガラスに対して車両の進行方向側に所定距離だけ離間した位置にあるものと認識されるものである。このため、上記表示装置では、実際には、信号機とフロントガラスとの位置と、停止線とフロントガラスとの位置とが相違する場合であっても、フロントガラスからの距離が一律上記所定距離のところに強調表示としての所定の模様を表示しているに過ぎない。このため、フロントガラス越しに視認される実際の物体とフロントガラスとの距離が様々であるのに対し、強調表示のための表示対象画像には奥行き感がなく、ユーザが違和感を感じることが懸念される。
【０００５】
本発明は、そうした実情に鑑みてなされたものであり、その目的は、表示対象画像に奥行き感を付与することのできる車両用表示装置を提供することにある。
【課題を解決するための手段】
【０００６】
以下、上記課題を解決するための手段およびその作用効果について記載する。
表示対象画像を表現する光信号を出力して且つ、車室外からの光を車室内に透過させる透明部材で前記光信号を反射させることで、車室内のユーザに、車室外の所定位置に前記表示対象画像を視認させる光源と、前記光源と前記透明部材との間における前記光信号の経路上に設けられて且つ、前記表示対象画像の拡大率を互いに相違する２つ以上の値に変更可能な光学機器である拡大率変更部と、前記拡大率変更部を操作して前記拡大率を周期的に変更する制御部と、を備える車両用表示装置。
【０００７】
上記装置では、表示対象画像を表現する光信号が、光学機器である拡大率変更部に入射する。そして、拡大率変更部が制御部によって操作されることで、拡大率が周期的に変更される。ここで、拡大率変更部は、光学機器であるため、拡大率を高い値にする場合には、低い値にする場合と比較して、透明部材から上記所定位置までの距離が伸長される。したがって、制御部によって拡大率が周期的に変更されることで、ユーザは、透明部材からの距離が互いに相違する複数の位置（所定位置）のそれぞれに表示対象画像を視認することとなる。このため、ユーザによって視認される表示対象画像に奥行き感を付与することができる。
【図面の簡単な説明】
【０００８】
【図１】第１の実施形態にかかるシステム構成図。
【図２】同実施形態にかかる右折案内表示例を示す図。
【図３】同実施形態にかかる表示対象画像を示す図。
【図４】同実施形態にかかる表示対象画像の表示対象部分の切替を示す図。
【図５】第２の実施形態にかかるオブジェクトの表示順序を示す図。
【図６】第３の実施形態にかかる表示対象画像の表示対象部分の切替を示す図。
【図７】第４の実施形態にかかる表示対象画像の表示対象部分の切替を示す図。
【発明を実施するための形態】
【０００９】
＜第１の実施形態＞
図１に、本実施形態にかかるシステム構成を示す。図示されるように、フロントガラス１０の下方には、車両用表示装置２０が配置されている。車両用表示装置２０は、表示対象画像Ｓを表現する光信号ＳＬを出力し、フロントガラス１０で反射させることで、車室外の所定位置に表示対象画像Ｓ（虚像ＶＩ１、ＶＩ２）を視認させる装置である。なお、車両用表示装置２０は、たとえばダッシュボードコンパートメントの上面に凹部を設け、凹部内に配置される。
【００１０】
車両用表示装置２０は、制御部２２と、光源２４と、拡大率変更部２６と、凹面鏡３０とを備えている。ここで、光源２４は、表示対象画像Ｓを表現する光信号ＳＬを出力する表示デバイスである。光源２４は、たとえば、発光部としてのバックライトを備える液晶表示パネル等によって構成可能である。光源２４から出力された光信号ＳＬは、拡大率変更部２６を介して凹面鏡３０に照射される。
【００１１】
凹面鏡３０は、光源２４との距離が焦点距離よりも短くなる位置に配置されている。これにより、拡大率変更部２６の影響を無視して且つ、仮に凹面鏡３０およびフロントガラス１０間から凹面鏡３０側を視認する場合、図１に示す位置Ｐ１に光信号ＳＬが表現する表示対象画像Ｓの虚像が現れる。
【００１２】
ここで、凹面鏡３０の反射光によって虚像が視認される位置（虚像の表示位置）と凹面鏡３０との距離Ｘと、物体（表示対象画像Ｓ）と凹面鏡３０との距離Ｙと、凹面鏡３０の焦点距離ｆとを用いると、「ｆ＞Ｙ」の場合、以下の式（ｃ１）が成立する。
【００１３】
（１／Ｙ）−（１／ｆ）＝（１／Ｘ）  …（ｃ１）
ここで、光源２４および凹面鏡３０間の距離Ｃを用いると、下記の式（ｃ２）が成立する。
【００１４】
（１／Ｃ）−（１／ｆ）＝（１／Ｘ）  点（ｃ２）
上記の式（ｃ２）によれば、「Ｘ＞Ｃ」の関係が成立する。このため、表示対象画像Ｓに対する虚像の倍率Ｍ１（＝Ｘ／Ｃ）は、「１」よりも大きくなる。
【００１５】
凹面鏡３０によって反射した光信号ＳＬは、フロントガラス１０にて反射し、反射した光信号ＳＬは、ユーザの目（アイポイントＰ）に入射する。これにより、拡大率変更部２６の影響を無視する場合には、アイポイントＰから「Ａ＋Ｂ＋Ｍ１・Ｃ：Ｍ１＞１」だけ離れた位置に、表示対象画像Ｓを「Ｍ１」倍した虚像ＶＩ１が、ユーザによって視認される像として現れる。ただし、ここでは、フロントガラス１０における光信号ＳＬの反射位置および凹面鏡３０間の距離Ｂと、反射位置およびアイポイントＰ間の距離Ａとを用いている。なお、本実施形態では、凹面鏡３０は、表示対象画像を拡大する役割と、表示対象画像Ｓがフロントガラス１０の前方に現れる位置を遠方とする役割とを担っている。すなわち、凹面鏡３０を平面鏡に代える場合、上記「Ｂ＋Ｍ１・Ｃ」は、単に「Ｂ＋Ｃ」となり、虚像ＶＩ１の表示倍率は、「１」倍となる。
【００１６】
拡大率変更部２６は、凸レンズ２８を備え、凸レンズ２８を、光源２４から凹面鏡３０へと照射される光信号ＳＬの経路上に配置した状態と、同経路から外れた位置に配置した状態とを切り替え可能な光学機器である。ここで、本実施形態では、光源２４から凹面鏡３０へと照射される光信号ＳＬの経路上に凸レンズ２８を配置した場合、凸レンズ２８と光源２４との距離Ｄが凸レンズ２８の焦点距離よりも短くなるように設定する。これにより、仮に凸レンズ２８と凹面鏡３０との間から凸レンズ２８側を見る場合、凸レンズ２８よりも光源２４側に虚像が現れる。ここで、本実施形態では、この虚像の表示位置が、凹面鏡３０とその焦点との間にあって、且つ光源２４よりも焦点に近くなるように設定する。ここで、上記の式（ｃ１）によれば、距離Ｙと焦点距離ｆとの差が小さいほど、距離Ｘが大きくなる。このため、この場合の虚像の表示位置である位置Ｐ２と凹面鏡３０との距離を、「Ｍ２・Ｃ」とすると、「Ｍ２＞Ｍ１」が成立する。
【００１７】
そして、光源２４から出力された光信号ＳＬが凸レンズ２８を通過した後、凹面鏡３０およびフロントガラス１０で反射してアイポイントＰに到達する場合、アイポイントＰから距離「Ａ＋Ｂ＋Ｍ２・Ｃ：Ｍ２＞Ｍ１」だけ離れた位置に、表示対象画像Ｓを拡大した虚像ＶＩ２が現れる。なお、ここでの拡大率は、凸レンズ２８による虚像と表示対象画像Ｓとのサイズの比に倍率Ｍ２を乗算した値となる。
【００１８】
制御部２２は、拡大率変更部２６を操作することで、光源２４から出力され凹面鏡３０に到達する光信号ＳＬの経路上に凸レンズ２８を配置した状態と配置しない状態とを切り替える制御を行う。また、制御部２２は、光源２４を操作することで、表示対象画像Ｓの内容や表示対象画像Ｓの表示サイズを制御する。
【００１９】
図２に、本実施形態にかかる虚像の表示例を模式的に示す。図２においては、フロントガラス１０の前方に、交差点が見えるシーンを例示している。また、図２においては、交差点を右折するための案内表示をする例を示している。なお、図２において、フレームＦｒは、光源２４によって定まる表示領域であり、光源２４が液晶表示パネルであるとする場合、表示パネルの表示領域の枠となる。
【００２０】
図３に、図２に示した虚像を表示するための表示対象画像４０を示す。なお、図１においては光源２４によって出力される光信号ＳＬによって表現される画像である表示対象画像を総称すべく「Ｓ」を用いて表示対象画像Ｓとした。これに対し、ここでは、表示対象画像Ｓのうち、特に右折の案内表示用のものを示すべく、表示対象画像４０と記載する。
【００２１】
右折の案内表示用の表示対象画像４０は、オブジェクト４１〜４６を備え、これらによって、車両が進行した後、右折することを指示する。ここで、オブジェクト４１〜４５は、台形形状の図形である。これは、オブジェクト４１〜４５を、錯視効果を有する図形とするためのものである。すなわち、錯視効果によれば、手前にある物体よりも遠くにある物体の方が小さく見える。このため、オブジェクト４１〜４５を台形形状として且つ、上方の辺（上底）を下底よりも短くすることで、各オブジェクト４１〜４５の下方よりも上方の方が車両から離れた位置にあると認識させることが可能となる。
【００２２】
また、オブジェクト４１〜４５を上下方向に一列に表示し、下方に表示されるオブジェクトほど寸法を大きくする。すなわち、たとえば、オブジェクト４１の寸法をオブジェクト４２の寸法よりも大きくし、オブジェクト４２の寸法をオブジェクト４３の寸法よりも大きくする。これも錯視効果を利用したものであり、上方に表示されるオブジェクトほど車両から離れた位置にあると認識させることを狙ったものである。
【００２３】
一方、オブジェクト４６は、右折を示す図形（矢印）である。なお、オブジェクト４６は、オブジェクト４１〜４５よりも上方に配置することで、オブジェクト４１〜４５まで前進した後、右折することを指示しているものとユーザに認識させる。このため、オブジェクト４６の寸法は、オブジェクト４１〜４５の錯視効果を妨げない値に設定されている。
【００２４】
上記制御部２２は、表示対象画像４０を構成するオブジェクト４１〜４６の全てを光源２４によって同時に表示する代わりに、図４に示すように、オブジェクト４１〜４３からなる表示対象画像ＳＡと、オブジェクト４４〜４６からなる表示対象画像ＳＢとを交互に表示するように、光源２４を操作する。詳しくは、制御部２２は、表示対象画像ＳＡと表示対象画像ＳＢとの表示の切替を、残像効果によって、表示対象画像ＳＡと表示対象画像ＳＢとのそれぞれの虚像が同時に表示されていると視認されるレベルで高速で実行する。この切替周波数は、たとえば「５０〜６０Ｈｚ」としてもよい。
【００２５】
そして、制御部２２は、表示対象画像ＳＡを表示する際には、光源２４から出力され凹面鏡３０に到達する光信号ＳＬの経路から凸レンズ２８を外すように、拡大率変更部２６を操作する。また、制御部２２は、表示対象画像ＳＢを表示する際には、光源２４から出力され凹面鏡３０に到達する光信号ＳＬの経路に凸レンズ２８を介在させるように、拡大率変更部２６を操作する。
【００２６】
さらに、制御部２２は、表示対象画像ＳＡを表示している状態から表示対象画像ＳＢを表示している状態に切り替える場合、光源２４を操作することで光源２４による表示倍率を変更する。すなわち、錯視効果を利用して生成された表示対象画像４０が分割された表示対象画像ＳＡと表示対象画像ＳＢとの光源２４による表示倍率を同一としない。これは、図１に示した虚像ＶＩ１と虚像ＶＩ２との表示倍率が相違することに鑑み、表示倍率の変化にかかわらず、表示対象画像ＳＡおよび表示対象画像ＳＢのそれぞれの虚像を重ね合わせたものが、図３に示した図形に準じたものとなるようにするための制御である。すなわち、オブジェクト４１〜４３よりもオブジェクト４４，４５の方が寸法が小さいものとして視認されるようにするための制御である。
【００２７】
以下、本実施形態の作用について説明する。
図２に例示する交差点において、右折の案内表示のために図３に示した表示対象画像４０を表示する場合、光源２４による表示対象を、図４に示した表示対象画像ＳＡと表示対象画像ＳＢとに交互に切り替える。これにより、表示対象画像ＳＡを表現する光信号ＳＬと表示対象画像ＳＢを表現する光信号ＳＬとが交互にアイポイントＰに入射する。しかし、これら表示対象画像ＳＡと表示対象画像ＳＢとの切り替えが高速であるため、残像効果により、表示対象画像ＳＡと表示対象画像ＳＢとが同時に表示されているものと視認される。
【００２８】
ここで、表示対象画像ＳＡの虚像は、アイポイントＰから「Ａ＋Ｂ＋Ｍ１・Ｃ」だけ車両前方側に現れる。一方、表示対象画像ＳＡよりも遠方に表示すべき表示対象画像ＳＢの虚像は、アイポイントＰから「Ａ＋Ｂ＋Ｍ２・Ｃ」だけ車両前方側に現れる。換言すれば、表示対象画像ＳＢの虚像は、表示対象画像ＳＡの虚像よりも、「（Ｍ２−Ｍ１）・Ｃ」だけ遠方に現れる。
【００２９】
なお、表示対象画像ＳＢの虚像が現れる位置（表示位置）は、交差点における右折の案内を開始する時点において、右折すべきポイント付近となるように、倍率Ｍ２等を調整しておくことが望ましい。なお、車両が右折するポイントに近づいた場合であっても右折の案内表示を継続する場合には、上記表示対象画像ＳＡおよび表示対象画像ＳＢの時分割での表示から、表示対象画像ＳＢのみの凸レンズ２８を用いないで行われる表示に切り替えることが望ましい。
【００３０】
以上説明した本実施形態によれば、以下に記載する効果が得られるようになる。
（１）表示対象画像ＳＢの虚像が表示対象画像ＳＡの虚像よりも「（Ｍ２−Ｍ１）・Ｃ」だけ遠方に現れるため、表示対象画像ＳＢを、錯視効果によらず、表示対象画像ＳＡよりも遠方に視認させることができ、ひいてはユーザによって視認される表示対象画像（の虚像）に奥行き感を付与することができる。
【００３１】
また、右折前の直線走行ポイント付近の実物と表示対象画像ＳＡの虚像との距離感を整合させ、また、交差点において右折するポイント付近の実物と表示対象画像ＳＢの虚像との距離感を整合させることができる。これにより、表示対象画像の虚像と進行方向に実在する物体との奥行きのずれがユーザによって感じられにくいため、ユーザが違和感を感じる事態を抑制することができる。
【００３２】
（２）同時に表示される表示対象画像ＳＡ，ＳＢのそれぞれに含まれるオブジェクト４１〜４５を、錯視効果を利用した図形とした。これにより、拡大率変更部２６によっては虚像の表示位置を２通りに設定できるに過ぎないにもかかわらず、それら一対の表示位置間にも虚像の一部が存在すると視認されやすくなる。このため、拡大率変更部２６によって実現される奥行き感を、補完することができる。
【００３３】
（３）表示対象画像ＳＡを表示するときと表示対象画像ＳＢを表示するときとで、光源２４による表示対象画像の表示倍率を変更した。これにより、光学機器を用いて虚像の表示位置を変化させることと引き替えに虚像の表示倍率が変化する現象によるデメリットを補償することができる。
【００３４】
（４）拡大率変更部２６を、表示対象画像Ｓの虚像ＶＩ２の表示位置をさらに遠方とするものとした。これにより、車両用表示装置２０の大型化を抑制しつつも、表示対象画像Ｓの虚像ＶＩ２を遠方に表示することができる。
【００３５】
＜第２の実施形態＞
以下、第２の実施形態について、第１の実施形態との相違点を中心に図面を参照しつつ説明する。
【００３６】
図５に本実施形態にかかる表示対象画像４０の表示手法を示す。
本実施形態では、制御部２２は、表示対象画像ＳＡの表示期間において、オブジェクト４１，４２，４３を車両に近いものとして表示すべきものから順次点灯させる。すなわち、制御部２２は、まず初めに、車両に最も近い位置を示すオブジェクト４１を点灯させ、次に、オブジェクト４１を消灯してオブジェクト４２を点灯させ、次に、オブジェクト４２を消灯してオブジェクト４３を点灯させる。
【００３７】
また、制御部２２は、表示対象画像ＳＢの表示期間において、オブジェクト４４，４５，４６を車両に近いものとして表示すべきものから順次点灯させる。すなわち、制御部２２は、まず初めに、車両に最も近い位置を示すオブジェクト４４を点灯させ、次に、オブジェクト４４を消灯してオブジェクト４５を点灯させ、次に、オブジェクト４５を消灯してオブジェクト４６を点灯させる。
【００３８】
なお、図５における「１ｓｔ，２ｎｄ，３ｒｄ，…」は、表示対象画像を構成するオブジェクトではなく、点灯順序を示す。
上記点灯、消灯の処理は、オブジェクト４１〜４６に点灯、消灯の対象としない縁部を備え、縁部にて囲まれた領域を点灯、消灯の対象とする処理としてもよい。この場合、表示対象画像ＳＡの表示期間においては、オブジェクト４１〜４３の縁部は常時表示されることとなる。もっとも、これに限らず、点灯、消灯の対象としない縁部を備えることなく、図５に示した図形全体の点灯、消灯を切り替えてもよい。
【００３９】
ここで、表示対象画像ＳＡの表示期間や、表示対象画像ＳＢの表示期間は、各オブジェクト４１〜４６のいずれか１つが点灯し、他が消灯していることを認識可能な程度の長さとする。このため、表示対象を表示対象画像ＳＡと表示対象画像ＳＢとに交互に切り替える周波数を、上記第１の実施形態と比較して小さい値に設定する。このため、残像効果により表示対象画像ＳＡと表示対象画像ＳＢとの双方が表示されているとユーザが認識するものとはならない。
【００４０】
こうした構成によれば、車両の進行方向に沿ってオブジェクト４１〜４６を順次点灯させることで、点灯順序によっても走行案内を行うことができる。
＜第３の実施形態＞
以下、第３の実施形態について、第２の実施形態との相違点を中心に図面を参照しつつ説明する。
【００４１】
図６に本実施形態にかかる表示対象画像４０の表示手法を示す。
本実施形態では、図３に示した表示対象画像４０を、表示対象画像ＳＡ，ＳＢ，ＳＣに分割する。ここで、表示対象画像ＳＡは、オブジェクト４１，４２からなり、表示対象画像ＳＢは、オブジェクト４３，４４からなり、表示対象画像ＳＣは、オブジェクト４５，４６からなる。そして、表示対象画像ＳＡと表示対象画像ＳＢと表示対象画像ＳＣとで、虚像の表示位置を相違させる。詳しくは、表示対象画像ＳＡの虚像の表示位置よりも表示対象画像ＳＢの虚像の表示位置を遠方とし、表示対象画像ＳＢの虚像の表示位置よりも表示対象画像ＳＣの虚像の表示位置を遠方とする。これは、たとえば、拡大率変更部２６を、２つの相違する倍率の凸レンズを備えて構成し、表示対象画像ＳＡの表示期間においては凸レンズを用いず、表示対象画像ＳＢの表示期間においては倍率の小さい方の凸レンズを用い、表示対象画像ＳＣの表示期間においては倍率の大きい方の凸レンズを用いることで実現することができる。
【００４２】
さらに、本実施形態では、表示対象画像ＳＡの表示期間において、オブジェクト４１，４２のうち車両に近いものとして表示すべきものから順に点灯させる。また、表示対象画像ＳＢの表示期間において、オブジェクト４３，４４のうち車両に近いものとして表示すべきものから順に点灯させる。さらに、表示対象画像ＳＣの表示期間において、オブジェクト４５，４６のうち車両に近いものとして表示すべきものから順に点灯させる。
【００４３】
＜第４の実施形態＞
以下、第４の実施形態について、第２の実施形態との相違点を中心に図面を参照しつつ説明する。
【００４４】
図７に本実施形態にかかる表示対象画像５０の表示手法を示す。
本実施形態にかかる表示対象画像５０は、先行車両が自車両に接近していることを警告するための表示である。具体的には、表示対象画像５０は、先行車両を示すオブジェクト５１と、台形形状のオブジェクト５２〜５４と、自車両に向かう矢印状のオブジェクト５５とからなる。ここで、オブジェクト５２〜５４は、車両の前方に対応する上方側の底（上底）の長さが下底の長さよりも短いものである。
【００４５】
制御部２２は、表示対象画像５０を、オブジェクト５１〜５３からなる表示対象画像ＳＡと、オブジェクト５４，５５からなる表示対象画像ＳＢとに分割し、それらを時分割でで表示する。詳しくは、制御部２２は、図１に示した凸レンズ２８を用いて表示対象画像ＳＡを表示し、凸レンズ２８を用いることなく表示対象画像ＳＢを表示する。
【００４６】
さらに、制御部２２は、表示対象画像ＳＡの表示期間において、オブジェクト５１，５２，５３のうち車両から遠いものとして表示すべきものから順に点灯させる。また、制御部２２は、オブジェクト５４，５５のうち車両から遠いものとして表示すべきものから順に点灯させる。
【００４７】
これにより、先行車両が自車両に接近してくるといったイメージをユーザに与えることができる。このため、先行車両が自車両に近接していることを警告する効果を高めることができる。
【００４８】
＜その他の実施形態＞
なお、上記各実施形態は、以下のように変更して実施してもよい。
・「拡大率変更部について」
上記実施形態では、レンズの挿入によって拡大率が上昇する場合を例示したがこれに限らない。たとえば、レンズの挿入によって拡大率が低下するものであってもよい。これは、たとえば、図１に示した凸レンズ２８と光源２４との距離Ｄが、凸レンズ２８の焦点距離よりも大きくなるようにすることで実現可能である。すなわち、この場合、凸レンズ２８と凹面鏡３０との間に、表示対象画像の実像ができる。この場合、凹面鏡３０の焦点と実像との距離は、凹面鏡３０の焦点と光源２４との距離よりも長くなる。したがって、フロントガラス１０よりも進行方向側にできる虚像とアイポイントＰとの距離を「Ａ＋Ｂ＋Ｍ１・Ｃ」よりも短くすることができる。ただし、この場合、虚像は、倒立像となるため、凸レンズ２８の挿入時には、光源２４による表示対象画像を反転させる。
【００４９】
凸レンズ２８を光信号ＳＬの経路に挿入したり抜き取ったりするものに限らない。たとえば、液晶レンズによって構成してもよい。
さらに、レンズの有無によって拡大率を切り替える手段に限らない。たとえば、図１において、凸レンズ２８を光信号ＳＬの経路に常時挿入した状態とし、凹面鏡３０と平面鏡（拡大率＝１）とを周期的に切り替えるようにしてもよい。この場合、凹面鏡３０に反射された光信号ＳＬによる虚像の表示位置は、平面鏡に反射された光信号ＳＬによる虚像の表示位置よりも遠くなる。なお、これは、拡大率変更部としての光学機器が、レンズの代わりに鏡を備える例である。もっとも、同光学機器としては、レンズおよび鏡のいずれか一方を備えるものに限らず、双方を備えてもよい。
【００５０】
拡大率としては、第１の実施形態のように１段階で変更できるものや、第３の実施形態のように２段階で変更できるものに限らず、たとえば３段階以上に変更できるものであってもよい。
【００５１】
・「表示対象画像について」
ステアリングの操作に関する案内表示としては、右折案内表示に限らず、左折案内表示であってもよい。右折や左折の案内表示としては、上記実施形態において例示したものに限らない。たとえば、図６において、拡大率を２段階で変化させる際の各表示対象画像を、それぞれオブジェクト４１、オブジェクト４３、およびオブジェクト４６のみとしてもよい。この際、オブジェクト４１，４３の形状については、台形に限らず、長方形や正方形であってもよい。また、表示対象画像を、矩形形状や矢印によって構成するものに限らず、たとえば手を添えたステアリングの絵であって、大きな拡大率で表示されるものほど、ステアリングの操舵角が大きくなることが手の位置等で表現されたものであってもよい。
【００５２】
案内表示としては、右折または左折を案内するものに限らない。たとえば、分岐路において、いずれを走行すべきかを案内するものであってもよい。
先行車両の近接を警告するための表示としては、図７に例示したものに限らない。たとえば、オブジェクト５１を、予め定められた図形とする代わりに、実際の先行車両の輪郭の強調表示としてもよい。またたとえば、表示対象画像を、オブジェクト５５、およびオブジェクト５１のみとしてもよい。
【００５３】
・「制御部について」
光源２４の表示倍率を、拡大率の変更に同期させて変更することは必須ではない。たとえば、図３に示した表示対象画像４０のうち凸レンズ２８の挿入時におけるオブジェクト４４〜４６の寸法を予め調整しておく代わりに、図３に示した表示対象画像を、オブジェクト４１〜４３と、オブジェクト４４〜４６とで、時分割で表示する際に光源２４の表示倍率を固定してもよい。
【００５４】
時分割で互いに相違する拡大率で表示される画像の全てを包含する画像データ（図３のフレームＦｒ内のデータ）を用いるものに限らない。たとえば、直進の矢印を示す単一のオブジェクトのデータのみを用意してもよい。この場合であっても、たとえば図６のように、拡大率を３段階に切り替える場合、拡大率が低い２つについては、直進方向を示すように光源２４による表示方向を制御し、拡大率が最大のものについては、矢印を９０°回転させて表示するようにしてもよい。この場合であっても、右折や左折を案内することができる。
【００５５】
・「同一の表示位置でオブジェクトを順次点灯させる手法について」
上記第２〜第４の実施形態では、虚像の表示位置の相違する表示対象画像の切替周期を、残像効果が期待できるレベルの高周波数とはしなかったが、これに限らない。たとえば、図５において、オブジェクト４１〜４６に点灯、消灯の対象としない縁部を備え、表示対象画像ＳＡと表示対象画像ＳＢとを高周波で切り替えることで、オブジェクト４１〜４６の全ての縁部については残像効果によって同時に表示されていると認識されるようにしてもよい。この場合、オブジェクト４１〜４６が進行方向に沿って順に点灯していることが認識できるように、表示対象画像ＳＡと表示対象画像ＳＢとの表示の１周期において、オブジェクト４１〜４６のいずれか１つのみを点灯させればよい。
【００５６】
・「透明部材について」
フロントガラス１０に限らない。たとえばヘッドアップディスプレイ用の眼鏡であってもよい。
【符号の説明】
【００５７】
Ｍ１，Ｍ２…倍率、Ａ，Ｂ，Ｃ，Ｄ…距離、Ｐ…アイポイント、Ｆｒ…フレーム、Ｓ，ＳＡ，ＳＢ，ＳＣ…表示対象画像、ＶＩ１，ＶＩ２…虚像、ＳＬ…光信号、１０…フロントガラス、２０…車両用表示装置、２２…制御部、２４…光源、２６…拡大率変更部、２８…凸レンズ、３０…凹面鏡、４０…表示対象画像、４１〜４６…オブジェクト、５０…表示対象画像、５１〜５５…オブジェクト。
【図１】
2016024420.tif 000003
【図２】
2016024420.tif 000004
【図３】
2016024420.tif 000005
【図４】
2016024420.tif 000006
【図５】
2016024420.tif 000007
【図６】
2016024420.tif 000008
【図７】
2016024420.tif 000009